(57)【要約】  チャネル状態情報参照信号（ＣＳＩ‐ＲＳ）を送信する方法は、２０個以上のアンテナポート（ＡＰ）を用いて基地局（ＢＳ）からユーザ装置（ＵＥ）にＣＳＩ‐ＲＳを送信するステップを含む。当該ＡＰの第１のＣＳＩ‐ＲＳ構成は、所定数の第２のＣＳＩ‐ＲＳ構成を統合して構成される。第２のＣＳＩ‐ＲＳ構成の各々におけるＡＰの数は４個又は８個である。ＣＳＩ‐ＲＳは、２０、２４、２８又は３２個のＡＰを用いて送信される。ＢＳ２０が２０個又は２８個のＡＰを用いてＣＳＩ‐ＲＳを送信する場合、第２のＣＳＩ‐ＲＳ構成の各々におけるＡＰの数は４個である。ＢＳ２０が２４個又は３２個のＡＰを用いてＣＳＩ‐ＲＳを送信する場合、第２のＣＳＩ‐ＲＳ構成の各々におけるＡＰの数は８個である。
2019514272.tif 000002
【特許請求の範囲】
【請求項１】
チャネル状態情報参照信号（ＣＳＩ‐ＲＳ）を送信する方法であって、
２０個以上のアンテナポート（ＡＰ）を用いて、基地局（ＢＳ）からユーザ装置（ＵＥ）にＣＳＩ‐ＲＳを送信するステップを具備し、
前記ＡＰ用の第１のＣＳＩ‐ＲＳ構成は、所定数の第２のＣＳＩ‐ＲＳ構成を統合して構成され、
前記第２のＣＳＩ‐ＲＳ構成の各々における前記ＡＰの数は４個又は８個であることを特徴とする方法。
【請求項２】
前記送信ステップは、２０、２４、２８又は３２個のＡＰを用いて前記ＣＳＩ‐ＲＳを送信することを特徴とする請求項１に記載の方法。
【請求項３】
前記送信ステップにおいて、２０個のＡＰを用いて前記ＣＳＩ‐ＲＳを送信する場合、前記第２のＣＳＩ‐ＲＳ構成の各々における前記ＡＰ数は４個であり、前記所定数は５個であることを特徴とする請求項１に記載の方法。
【請求項４】
前記送信ステップにおいて、２８個のＡＰを用いて前記ＣＳＩ‐ＲＳを送信する場合、前記第２のＣＳＩ‐ＲＳ構成の各々における前記ＡＰ数は４個であり、前記所定数は７個であることを特徴とする請求項１に記載の方法。
【請求項５】
前記送信ステップにおいて、２４個のＡＰを用いて前記ＣＳＩ‐ＲＳを送信する場合、前記第２のＣＳＩ‐ＲＳ構成の各々における前記ＡＰ数は８個であり、前記所定数は３個であることを特徴とする請求項１に記載の方法。
【請求項６】
前記送信ステップにおいて、３２個のＡＰを用いて前記ＣＳＩ‐ＲＳを送信する場合、前記第２のＣＳＩ‐ＲＳ構成の各々における前記ＡＰ数は８個であり、前記所定数は４個であることを特徴とする請求項１に記載の方法。
【請求項７】
チャネル状態情報参照信号（ＣＳＩ‐ＲＳ）を送信する方法であって、
２０個以上のアンテナポート（ＡＰ）を用いて所定のＣＳＩ‐ＲＳ密度で基地局（ＢＳ）からユーザ装置（ＵＥ）にＣＳＩ‐ＲＳを送信するステップを具備し、
前記ＡＰの少なくとも１つの前記所定のＣＳＩ‐ＲＳ密度は、前記ＡＰの各々が１構成ブロック（ＲＢ）あたり１ＣＳＩ‐ＲＳ構成要素（ＲＥ）を用いるＣＳＩ‐ＲＳ密度とは異なることを特徴とする方法。
【請求項８】
前記ＡＰの全ての前記所定のＣＳＩ‐ＲＳ密度は、前記ＡＰの各々につき１ＲＢあたり１ＣＳＩ‐ＲＳ  ＲＥとは異なることを特徴とする請求項７に記載の方法。
【請求項９】
前記所定のＣＳＩ‐ＲＳ密度は、前記ＡＰの各々につき１ＲＢあたり１ＣＳＩ‐ＲＳ  ＲＥ未満であることを特徴とする請求項７に記載の方法。
【請求項１０】
前記所定のＣＳＩ‐ＲＳ密度は、前記ＡＰの各々につき１ＲＢあたり半ＣＳＩ‐ＲＳ  ＲＥとは異なることを特徴とする請求項９に記載の方法。
【請求項１１】
周波数分割多重（ＦＤＭ）がＣＳＩ‐ＲＳに適用されることを特徴とする請求項９に記載の方法。
【請求項１２】
ＣＳＩ‐ＲＳ密度を示す情報を無線リソース制御（ＲＲＣ）パラメータとして設定するプロセッサをさらに含み、
前記トランスミッタは、ＲＲＣシグナリングを用いて前記ＵＥに前記ＲＲＣパラメータを送信することを特徴とする請求項９に記載の方法。
【請求項１３】
前記所定のＣＳＩ‐ＲＳ密度は、前記ＡＰの各々につき１ＲＢあたり１ＣＳＩ‐ＲＳ  ＲＥよりも高いことを特徴とする請求項７に記載の方法。
【請求項１４】
前記送信ステップは、２０、２４、２８又は３２個のＡＰを用いて前記ＣＳＩ‐ＲＳを送信することを特徴とする請求項７に記載の方法。
【請求項１５】
前記所定のＣＳＩ‐ＲＳ密度は、前記ＡＰの各々につき１ＲＢあたり１ＣＳＩ‐ＲＳ  ＲＥ未満であることを特徴とする請求項８に記載の方法。
【請求項１６】
前記所定のＣＳＩ‐ＲＳ密度は、前記ＡＰの各々につき１ＲＢあたり１ＣＳＩ‐ＲＳ  ＲＥよりも高いことを特徴とする請求項８に記載の方法。
【請求項１７】
前記送信ステップは、２０、２４、２８又は３２個のＡＰを用いてＣＳＩ‐ＲＳを送信することを特徴とする請求項８に記載の方法。
【請求項１８】
前記送信ステップは、２０、２４、２８又は３２個のＡＰを用いて前記ＣＳＩ‐ＲＳを送信することを特徴とする請求項９に記載の方法。
【請求項１９】
無線通信システムにおける基地局（ＢＳ）であって、
２０個以上のアンテナポート（ＡＰ）を用いてユーザ装置（ＵＥ）にチャネル状態情報参照信号（ＣＳＩ‐ＲＳ）を送信するトランスミッタを具備し、
前記ＡＰ用の第１のＣＳＩ‐ＲＳ構成は、所定数の第２のＣＳＩ‐ＲＳ構成を統合して構成され、
前記第２のＣＳＩ‐ＲＳ構成の各々における前記ＡＰの数は４個又は８個であることを特徴とする基地局。
【請求項２０】
前記トランスミッタは、２０、２４、２８、又は３２個のＡＰを用いて前記ＣＳＩ‐ＲＳを送信することを特徴とする請求項１９に記載の基地局。
【発明の詳細な説明】
【技術分野】
【０００１】
本発明は、無線通信方法全般に関し、より具体的には、無線通信システムにおいて複数のＣＳＩ‐ＲＳアンテナポートを使用するチャネル状態情報参照信号（ＣＳＩ‐ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ））送信に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）によって標準化されたＬＴＥ（Ｌｏｎｇ  Ｔｅｒｍ  Ｅｖｏｌｕｔｉｏｎ）Ｒｅｌ．１３（Release 13）は、最大１６個のＣＳＩ‐ＲＳアンテナポート（ＡＰ）に対応する。
【０００３】
ＬＴＥ  Ｒｅｌ．１２は、各アンテナポートが１リソースブロック（ＲＢ）あたり１リソースエレメント（ＲＥ）を用いる（以下「１ＲＥ／ＲＢ／ポート」とも表す）ＣＳＩ‐ＲＳ  ＡＰ（１、２、４及び８‐Ｔｘ  ＣＳＩ‐ＲＳ）の数｛１、２、４、８｝と、符号分割多重（ＣＤＭ）‐２による電力ブーストと、に対応する。図１は、ＬＴＥ  Ｒｅｌ．１２用の２、４及び８‐Ｔｘ  ＣＳＩ‐ＲＳのＣＳＩ‐ＲＳリソース構成を示す図である。図１に示すように、一方の軸はＯＦＤＭシンボルを表し、他方の軸はサブキャリアを表す。各ブロックはＲＢ内のＲＥに対応し、アンテナポート番号が付された格子状のＲＥはＣＳＩ‐ＲＳのＡＰに割り当てられる。したがって、ＬＴＥ  Ｒｅｌ．１２では、ＣＳＩ‐ＲＳは、アンテナポート番号ｐ＝１５、ｐ＝１５〜１６、ｐ＝１５〜１８並びにｐ＝１５〜２２をそれぞれ用いて、１、２、４及び８個のＡＰ上で送信される。
【０００４】
ＬＴＥ  Ｒｅｌ．１３は、各ＡＰが１ＲＢあたり１ＲＥを用いる（１ＲＥ／ＲＢ／ポート）ＣＳＩ‐ＲＳ  ＡＰ（１、２、４、８、１２及び１６‐Ｔｘ  ＣＳＩ‐ＲＳ）の数｛１、２、４、８、１２、１６｝と、ＣＤＭ‐２及びＣＤＭ‐４による電力ブーストと、に対応する。図２は、ＬＴＥ  Ｒｅｌ．１３の１２及び１６‐Ｔｘ  ＣＳＩ‐ＲＳのＣＳＩ‐ＲＳリソース構成を示す図である。図２に示すように、図１と同様に、一方の軸はＯＦＤＭシンボルを表し、他方の軸はサブキャリアを表す。各ブロックはＲＢ内のＲＥに対応し、アンテナポート番号が付された格子状のＲＥはＣＳＩ‐ＲＳのＡＰに割り当てられる。したがって、ＬＴＥ  Ｒｅｌ．１３では、ＣＳＩ‐ＲＳは、それぞれアンテナポート番号ｐ＝１５、ｐ＝１５〜１６、ｐ＝１５〜１８、ｐ＝１５〜２２、ｐ＝１５〜２６及びｐ＝１５〜３０を用いて、１、２、４、８、１２及び１６個のＡＰ上で送信される。
【０００５】
更に、ＬＴＥ  Ｒｅｌ．１３のＣＳＩ‐ＲＳリソースは、ＬＴＥ  Ｒｅｌ．１２用の複数のＣＳＩ‐ＲＳ構成をサブフレーム毎に同一ＲＢ内で統合して構成される。例えば、図２に示すように、ＬＴＥ  Ｒｅｌ．１３用の１２‐Ｔｘ  ＣＳＩ‐ＲＳ（ＣＤＭ‐２）のＣＳＩ‐ＲＳリソースは、ＬＴＥ  Ｒｅｌ．１２用の４‐Ｔｘ  ＣＳＩ‐ＲＳの３つのＣＳＩ‐ＲＳ構成を統合して構成される。図２において、ＮＰはＣＳＩ‐ＲＳ構成毎のＣＳＩ‐ＲＳアンテナポート数を表し、ＮＲはＣＳＩ‐ＲＳ構成数を表す。すなわち、アンテナポートの総数はＮＰ  ＮＲによって得られる。言い換えれば、１２‐Ｔｘ  ＣＳＩ‐ＲＳのＣＳＩ‐ＲＳリソースは、（ＮＰ、ＮＲ）＝（４、３）と定義される。一方で、ＬＴＥ  Ｒｅｌ．１３用の１６‐Ｔｘ  ＣＳＩ‐ＲＳ（ＣＤＭ‐２）のＣＳＩ‐ＲＳリソースは、ＬＴＥ  Ｒｅｌ．１２用の８‐Ｔｘ  ＣＳＩ‐ＲＳの２つのＣＳＩ‐ＲＳ構成を統合して構成される。１６‐Ｔｘ  ＣＳＩ‐ＲＳのＣＳＩ‐ＲＳリソースは、（ＮＰ、ＮＲ）＝（８、２）と定義される。
【先行技術文献】
【非特許文献】
【０００６】
【非特許文献１】３ＧＰＰ、ＴＳ３６．２１１Ｖ１３．１．０
【非特許文献２】３ＧＰＰ、ＴＳ３６．２１３Ｖ１３．１．０
【発明の概要】
【発明が解決しようとする課題】
【０００７】
３ＧＰＰでは、拡張全次元多入力多出力（ｅＦＤ‐ＭＩＭＯ（ｅｎｈａｎｃｅｄ  Ｆｕｌｌ  Ｄｉｍｅｎｓｉｏｎ−Ｍｕｌｔｉｐｌｅ  Ｉｎｐｕｔ  Ｍｕｌｔｉｐｌｅ  Ｏｕｔｐｕｔ））技術の検討がＬＴＥ  Ｒｅｌ．１４下で進められている。例えば、従来のＣＳＩ‐ＲＳ  ＡＰ数｛１、２、４、８、１２、１６｝が、ｅＦＤ‐ＭＩＭＯ技術によって｛２０、２４、２８、３２｝に拡張することが期待されている。しかしながら、ＣＳＩ‐ＲＳ  ＡＰ数を｛２０、２４、２８、３２｝に拡張させるＣＳＩ‐ＲＳ構成はＬＴＥ  Ｒｅｌ．１４に規定されていない。更に、ＣＳＩ‐ＲＳ  ＡＰを拡張することは、ＣＳＩ‐ＲＳ送信のオーバーヘッドを増加させるおそれがある。
【課題を解決するための手段】
【０００８】
本発明の１つ又は複数の実施形態に係るチャネル状態情報参照信号（ＣＳＩ‐ＲＳ）を送信する方法は、２０個以上のアンテナポート（ＡＰ）を用いて基地局（ＢＳ）からユーザ装置（ＵＥ）にＣＳＩ‐ＲＳを送信するステップを具備することを特徴とする。ＡＰ用の第１のＣＳＩ‐ＲＳ構成は、所定数の第２のＣＳＩ‐ＲＳ構成を統合して構成してもよい。第２のＣＳＩ‐ＲＳ構成の各々におけるＡＰの数は、４個又は８個であってもよい。
【０００９】
本発明の１つ又は複数の実施形態に係るＣＳＩ‐ＲＳを送信する方法は、２０個以上のＡＰを用いて所定のＣＳＩ‐ＲＳ密度でＢＳからＵＥにＣＳＩ‐ＲＳを送信するステップを具備することを特徴とする。ＡＰの少なくとも１つの所定のＣＳＩ‐ＲＳ密度は、ＡＰの各々につき１ＲＢあたり１ＣＳＩ‐ＲＳ  ＲＥのＣＳＩ‐ＲＳ密度と異なってもよい。
【００１０】
本発明の１つ又は複数の実施形態に係る無線通信システムにおけるＢＳは、２０個以上のＡＰを用いてＵＥにＣＳＩ‐ＲＳを送信するトランスミッタを具備することを特徴とする。ＡＰ用の第１のＣＳＩ‐ＲＳ構成は、所定数の第２のＣＳＩ‐ＲＳ構成を統合して構成してもよい。第２のＣＳＩ‐ＲＳ構成の各々におけるＡＰの数は、４個又は８個であってもよい。
【発明の効果】
【００１１】
本発明の実施形態によれば、ＣＳＩ‐ＲＳ  ＡＰの拡張に伴うＣＳＩ‐ＲＳ送信のオーバーヘッドの増加を抑えることができる。
【図面の簡単な説明】
【００１２】
【図１】ＬＴＥ  Ｒｅｌ．１２用の、２、４及び８‐Ｔｘ  ＣＳＩ‐ＲＳのＣＳＩ‐ＲＳ構成を示す図である。
【図２】ＬＴＥ  Ｒｅｌ．１３用の、１２及び１６‐Ｔｘ  ＣＳＩ‐ＲＳのＣＳＩ‐ＲＳ構成を示す図である。
【図３】本発明の１つ又は複数の実施形態に係る無線通信システムの構成を示す図である。
【図４】本発明の第１の態様の１つ又は複数の実施形態に係る、ＬＴＥ  Ｒｅｌ．１４用のＣＳＩ‐ＲＳ構成を示す表である。
【図５】本発明の第１の変形例の１つ又は複数の実施形態に係る、ＬＴＥ  Ｒｅｌ．１４用のＣＳＩ‐ＲＳ構成を示す表である。
【図６】本発明の第２の態様の１つ又は複数の実施形態に係る、ＬＴＥ  Ｒｅｌ．１４用のＣＳＩ‐ＲＳ構成を示す表である。
【図７Ａ】本発明の第２の態様の１つ又は複数の実施形態に係る、周波数分割多重（ＦＤＭ）が適用されるＣＳＩ‐ＲＳ送信を示す図である。
【図７Ｂ】本発明の第２の態様の１つ又は複数の実施形態に係る、ＴＤＭが適用されるＣＳＩ‐ＲＳ送信を示す図である。
【図７Ｃ】本発明の第２の態様の１つ又は複数の実施形態に係る、ＴＤＭが適用されるＣＳＩ‐ＲＳ送信を示す図である。
【図７Ｄ】本発明の第２の態様の１つ又は複数の実施形態に係る、ＦＤＭ及びＴＤＭが適用されるＣＳＩ‐ＲＳ送信を示す図である。
【図７Ｅ】本発明の第２の態様の１つ又は複数の実施形態に係る、ＦＤＭが適用されるＣＳＩ‐ＲＳ送信を示す図である。
【図８Ａ】本発明の第３の変形例の１つ又は複数の実施形態に係るＣＳＩ‐ＲＳ構成を示す図である。
【図８Ｂ】本発明の第３の変形例の１つ又は複数の実施形態に係るＣＳＩ‐ＲＳ構成を示す図である。
【図８Ｃ】本発明の第３の変形例の１つ又は複数の実施形態に係るＣＳＩ‐ＲＳ構成を示す図である。
【図９Ａ】本発明の第４の態様の１つ又は複数の実施形態に係るＣＳＩ‐ＲＳアンテナポート構成を示す図である。
【図９Ｂ】本発明の第４の態様の他の例の１つ又は複数の実施形態に係るＣＳＩ‐ＲＳアンテナポート構成を示す図である。
【図１０Ａ】本発明の第５の態様の１つ又は複数の実施形態に係る、ＣＳＩ‐ＲＳ密度の切り替えを伴うＣＳＩ‐ＲＳ送信を示す図である。
【図１０Ｂ】本発明の第５の態様の他の例の１つ又は複数の実施形態に係る、ＣＳＩ‐ＲＳアンテナポートの切り替えを伴うＣＳＩ‐ＲＳ送信を示す図である。
【図１０Ｃ】本発明の第５の態様の他の例の１つ又は複数の実施形態に係る、ＣＳＩ‐ＲＳパターンの切り替えを伴うＣＳＩ‐ＲＳ送信を示す図である。
【図１０Ｄ】本発明の第５の態様の他の例の１つ又は複数の実施形態に係る、ＣＳＩ‐ＲＳ密度の切り替えを伴うＣＳＩ‐ＲＳ送信を示す図である。
【図１１】本発明の１つ又は複数の実施形態に係る基地局を示す機能ブロック図である。
【図１２】本発明の１つ又は複数の実施形態に係るＵＥの一例を示す構成図である。
【発明を実施するための形態】
【００１３】
以下、本発明の実施形態について添付図面を参照して詳細に説明する。本発明の実施形態では、本発明のより完全な理解のために、具体的な詳細が多く規定される。しかしながら、当業者においては、これらの具体的な詳細なしに本発明の実施が可能であることは明らかである。他の例では、本発明を不明瞭にすることを避けるために、周知の特徴は詳細には説明しない。
【００１４】
図３は、本発明の１つ又は複数の実施形態に係る無線通信システムの構成を示す図である。無線通信システム１は、ユーザ装置（ＵＥ）１０と、基地局（ＢＳ）２０と、コアネットワーク３０とを含む。無線通信システム１は、ＦＤ‐ＭＩＭＯ（eFD-MIMO）に対応するＬＴＥ／ＬＴＥ‐Ａｄｖａｎｃｅｄ（ＬＴＥ−Ａ）システム又はＮｅｗ  Ｒａｄｉｏ（ＮＲ）システムであってもよい。ｅＦＤ‐ＭＩＭＯでは、チャネル状態情報参照信号（ＣＳＩ‐ＲＳ）のアンテナポート（ＡＰ）数｛１、２、４、８、１２、１６｝が、ＣＳＩ‐ＲＳ  ＡＰ数（ＢＳ２０の複数のＡＰの数）である｛２０、２４、２８、３２｝に拡張される。したがって、ＣＳＩ‐ＲＳは、アンテナポート番号ｐ＝１５、ｐ＝１５〜１６、ｐ＝１５〜１８、ｐ＝１５〜２２、ｐ＝１５〜２６、ｐ＝１５〜３０、ｐ＝１５〜３４、ｐ＝１５〜３８、ｐ＝１５〜４２及びｐ＝１５〜４６を用いて、それぞれ１、２、４、８、１２、１６、２０、２４、２８及び３２個のＡＰ上で送信してもよい。ＣＳＩ‐ＲＳ  ＡＰ数（１、２、４、８、１２、１６、２０、２４、２８及び３２）は、それぞれ１、２、４、８、１２、１６、２０、２４、２８及び３２‐Ｔｘ  ＣＳＩ‐ＲＳとも呼ばれる。例えば、ＣＳＩ‐ＲＳ  ＡＰ数は３２個を超えてはならない。無線通信システム１は、本明細書において説明する特定の構成に限定されず、ＣＳＩ‐ＲＳ送信を適用する任意のタイプの無線通信システムであってよい。無線通信システム１は、複数のＵＥ１０及びＢＳ２０を含んでもよい。
【００１５】
カバレッジエリア内において、ＢＳ２０は、ＭＩＭＯ技術を利用する複数のＡＰを介してＵＥ１０と上り（ＵＬ）及び下り（ＤＬ）信号をやり取りすることができる。ＤＬ信号及びＵＬ信号は、制御情報及びユーザデータを含む。ＢＳ２０は、バックホールリンク３１を介して、コアネットワーク３０とＤＬ及びＵＬ信号をやり取りしてもよい。ＢＳ２０は、ｅｖｏｌｖｅｄ  ＮｏｄｅＢ（ｅＮＢ）又はＮＲシステム用の基地局（例えば、ｇＮｏｄｅＢ（ｇＮＢ））であってもよい。
【００１６】
ＢＳ２０は、ＭＩＭＯ用アンテナと、隣接するＢＳ２０と通信を行うための通信インタフェース（例えば、Ｘ２インタフェース）と、コアネットワーク３０と通信を行うための通信インタフェース（例えば、Ｓ１インタフェース）と、ＵＥ１０との送受信信号を処理するプロセッサ、コントローラ、回路などのＣＰＵ（Ｃｅｎｔｒａｌ  Ｐｒｏｃｅｓｓｉｎｇ  Ｕｎｉｔ）と、を備える。以下に説明するＢＳ２０の動作は、メモリに格納されたデータ及びプログラムを処理又は実行するプロセッサによって実現してもよい。しかしながら、ＢＳ２０は上述のハードウェア構成に限定されず、当業者に理解される他の適切なハードウェア構成によって実現されてもよい。通常、無線通信システム１がより広いサービスエリアをカバーすることができるように、複数のＢＳ２０が配置される。
【００１７】
ＵＥ１０は、ＭＩＭＯ技術を用いて、制御情報とユーザデータとを含むＤＬ及びＵＬ信号をＢＳ２０とやり取りする。ＵＥ１０は、移動局、スマートフォン、携帯電話、タブレット、モバイルルータなどでもよいし、ウェアラブル機器など無線通信機能を有する情報処理装置でもよい。
【００１８】
ＵＥ１０は、プロセッサなどのＣＰＵ、ＲＡＭ（Ｒａｎｄｏｍ  Ａｃｃｅｓｓ  Ｍｅｍｏｒｙ）、フラッシュメモリ及び無線通信装置を備え、ＢＳ２０とＵＥ１０との間で無線信号を送受信する。例えば、以下に説明するＵＥ１０の動作は、ＣＰＵ処理、又はメモリに格納されたデータ及びプログラムを実行することによって実現してもよい。ただし、ＵＥ１０は、上述したハードウェア構成に限定されるものではなく、例えば、以下の処理を実現する回路によって構成されてもよい。
【００１９】
本発明の１つ又は複数の実施形態に係るＣＳＩ‐ＲＳ及びＣＳＩフィードバックプロセスを以下に説明する。図３に示すように、ＢＳ２０は、ＣＳＩ‐ＲＳリソース情報及びサブセット（ＮＰ、ＮＲ）をＵＥ１０に送信することができる（ステップＳ１）。ＮＰは、ＣＳＩ‐ＲＳ構成毎のＣＳＩ‐ＲＳアンテナポート（ＡＰ）数を表す。ＮＲは、ＣＳＩ‐ＲＳ構成数を表す。ＣＳＩ‐ＲＳ構成は、（サブセット内の）ＣＳＩ‐ＲＳ  ＡＰに関連付けられたリソースエレメント（ＲＥ）のセットと定義される。ＣＳＩ‐ＲＳ構成は、ＣＳＩ‐ＲＳリソースと呼ばれてもよい。本発明の１つ又は複数の実施形態において、ＣＳＩ‐ＲＳ構成毎のサブセット内におけるＣＳＩ‐ＲＳ  ＡＰ数（ＮＰ）は、ＢＳ２０が複数備えるＡＰであるＣＳＩ‐ＲＳ  ＡＰの数以下である。そして、ＢＳ２０は、サブセット（ＮＰ、ＮＲ）に基づいて、ＣＳＩ‐ＲＳ  ＡＰに対応付けられたＲＥを用いて、ＣＳＩ‐ＲＳをＵＥ１０に送信することができる（ステップＳ２）。ＵＥ１０は、ＣＳＩ‐ＲＳ構成及びＤＬ  ＣＳＩ測定用のサブセット（ＮＰ、ＮＲ）を用いて、ＢＳ２０からＣＳＩ‐ＲＳを得ることができる。そして、ＵＥ１０は、ＣＳＩを含むＣＳＩフィードバック情報をＢＳ２０に送信することができる（ステップＳ３）。
【００２０】
（第１の態様）
以下、本発明の第１の態様の実施形態について説明する。ＬＴＥ  Ｒｅｌ．１３などの従来のＬＴＥ規格では、ＣＳＩ‐ＲＳ  ＡＰを｛２０、２４、２８、３２｝に拡張させるＣＳＩ‐ＲＳ構成が規定されていない。本発明の第１の態様の１つ又は複数の実施形態に係るＣＳＩ‐ＲＳリソース割当方法は、従来のＬＴＥ規格に規定されていない、ＣＳＩ‐ＲＳ  ＡＰの拡張に対応するＣＳＩ‐ＲＳ構成を実現することができる。
【００２１】
本発明の第１の態様の１つ又は複数の実施形態では、ＢＳ２０が２０個以上のＡＰを用いてＣＳＩ‐ＲＳを送信する場合、当該ＡＰのＣＳＩ‐ＲＳ構成（第１のＣＳＩ‐ＲＳ構成）は、所定数のＣＳＩ‐ＲＳ構成（第２のＣＳＩ‐ＲＳ構成）を統合して構成してもよい。例えば、所定数の既存のＣＳＩ‐ＲＳ構成をＢＳ２０が統合することで、２０、２４、２８及び３２‐Ｔｘ  ＣＳＩ‐ＲＳのＣＳＩ‐ＲＳ構成を設定してもよい。または、２０、２４、２８及び３２‐Ｔｘ  ＣＳＩ‐ＲＳのＣＳＩ‐ＲＳ構成は、ＬＴＥ  Ｒｅｌ．１２のＣＳＩ‐ＲＳ構成及び／又はＬＴＥ  Ｒｅｌ．１３のＣＳＩ‐ＲＳ構成を統合して構成される。
【００２２】
例えば、２０‐Ｔｘ  ＣＳＩ‐ＲＳのＣＳＩ‐ＲＳ構成は、ＬＴＥ  Ｒｅｌ．１２における４‐Ｔｘ  ＣＳＩ‐ＲＳのＣＳＩ‐ＲＳ構成を５つ統合して構成してもよい。また、２０‐Ｔｘ  ＣＳＩ‐ＲＳのＣＳＩ‐ＲＳ構成も（ＮＰ、ＮＲ）＝（４、５）で定義される。同様に、例えば、２０、２４、２８及び３２‐Ｔｘ  ＣＳＩ‐ＲＳのＣＳＩ‐ＲＳ構成は、以下に説明するように、サブセット（ＮＰ、ＮＲ）の構成要素の１つ、一部又は全てを用いて定義してもよい。
２０‐Ｔｘ  ＣＳＩ‐ＲＳのＣＳＩ‐ＲＳ構成の場合、（ＮＰ、ＮＲ）＝（２、１０）及び（４、５）；
２４‐Ｔｘ  ＣＳＩ‐ＲＳのＣＳＩ‐ＲＳ構成の場合、（ＮＰ、ＮＲ）＝（２、１２）、（４、６）、（８、３）及び（１２、２）；
２８‐Ｔｘ  ＣＳＩ‐ＲＳのＣＳＩ‐ＲＳ構成の場合、（ＮＰ、ＮＲ）＝（２、１４）及び（４、７）；
３２‐Ｔｘ  ＣＳＩ‐ＲＳのＣＳＩ‐ＲＳ構成の場合、（ＮＰ、ＮＲ）＝（２、１６）、（４、８）、（８、４）及び（１６、２）。
【００２３】
簡略化のため、本発明の第１の態様の実施形態では、２０、２４、２８及び３２‐Ｔｘ  ＣＳＩ‐ＲＳなどＬＴＥ  Ｒｅｌ．１４用のＣＳＩ‐ＲＳ構成は、図４に示すように、ＬＴＥ  Ｒｅｌ．１２のＣＳＩ‐ＲＳ構成を最大ＮＰで統合して構成することもできる。
【００２４】
したがって、本発明の第１の態様の１つ又は複数の実施形態によれば、ＢＳ２０は、ＮＲ  ＣＳＩ‐ＲＳ構成（第２のＣＳＩ‐ＲＳ構成）を統合することで、２０個以上のＡＰ（例えば、２０、２４、２８及び３２個のＡＰ）のＣＳＩ‐ＲＳ構成（第１のＣＳＩ‐ＲＳ構成）を決定することができる。図４に示すように、２０、２４、２８及び３２個のＡＰに対するＮＲ（所定数の第２のＣＳＩ‐ＲＳ構成）は、それぞれ５、３、７及び４とすることができる。例えば、ＣＳＩ‐ＲＳ送信に２０個及び２８個のＡＰを使用する場合、各ＣＳＩ‐ＲＳ構成におけるＡＰの数は４個である。ＣＳＩ‐ＲＳ送信に２４個及び３２個のＡＰを使用する場合、各ＣＳＩ‐ＲＳ構成におけるＡＰの数は８個である。その後、ＢＳ２０は、決定したＣＳＩ‐ＲＳ構成に設定されたＣＳＩ‐ＲＳを、ＡＰ（２０、２４、２８又は３２個のＡＰ）を用いてＵＥ１０に送信することができる。更に、ＮＰはＡＰ数より少なくてもよい。これにより２０、２４、２８及び３２‐Ｔｘ  ＣＳＩ‐ＲＳのＣＳＩ‐ＲＳ構成を設定することができ、ＣＳＩ‐ＲＳを、当該２０、２４、２８及び３２‐Ｔｘ  ＣＳＩ用に設定されたＣＳＩ‐ＲＳ構成を用いて適切に送信することができる。
【００２５】
（第１の変形例）
サブフレーム（ＣＳＩ‐ＲＳ  ＲＥ）毎にＣＳＩ‐ＲＳ  ＡＰに関連付けられるＲＥの最大数は、ＬＴＥ規格に従って４０個である。一方、例えば、２０、２４、２８及び３２‐Ｔｘ  ＣＳＩ‐ＲＳに関連付けられたＲＥは大きい。本発明の第１の変更例の１つ又は複数の実施形態によれば、２０、２４、２８及び３２‐Ｔｘ  ＣＳＩ‐ＲＳのＣＳＩ‐ＲＳ構成は、ＢＳ２０が、ＣＳＩ‐ＲＳ  ＡＰ（４０個のＲＥ）に割り当て可能なＲＥのうち未使用のＲＥを指定して決定してもよい。当該未使用のＲＥは、ＣＳＩ‐ＲＳ  ＡＰに対応付けられていない可能性がある。
【００２６】
本発明の第１の変形例の１つ又は複数の実施形態によれば、例えば、２０、２４、２８及び３２‐Ｔｘ  ＣＳＩ‐ＲＳのＣＳＩ‐ＲＳ構成を設定するサブセット（ＮＰ、ＮＲ）は以下の通りである：
２０‐Ｔｘ  ＣＳＩ‐ＲＳのＣＳＩ‐ＲＳ構成の場合、（ＮＰ、ＮＲ）＝（２、１０）及び（４、５）;
２４‐Ｔｘ  ＣＳＩ‐ＲＳのＣＳＩ‐ＲＳ構成の場合、（ＮＰ、ＮＲ）＝（２、８）、（４、４）及び（８、２）；
２８‐Ｔｘ  ＣＳＩ‐ＲＳのＣＳＩ‐ＲＳ構成の場合、（ＮＰ、ＮＲ）＝（２、６）及び（４、３）；及び
３２‐Ｔｘ  ＣＳＩ‐ＲＳのＣＳＩ‐ＲＳ構成の場合、（ＮＰ、ＮＲ）＝（２、４）及び（４、２）。
【００２７】
簡略化のため、本発明の第１の変形例の実施形態では、２０、２４、２８及び３２‐Ｔｘ  ＣＳＩ‐ＲＳなど、ＬＴＥ  Ｒｅｌ．１４のＣＳＩ‐ＲＳ構成は、図５に示すように、最大のＮＰでＬＴＥ  Ｒｅｌ．１２のＣＳＩ‐ＲＳ構成を統合して構成してもよい。
【００２８】
更に、構成されたＣＳＩ‐ＲＳを使用するか否かを示す１ビット（例えば、ＣＳＩ‐ＲＳ‐Ｆｌａｇ）が、ＢＳ２０からＵＥ１０に送信される情報に含まれてもよい。例えば、（ＮＰ、ＮＲ）＝（８、２）のサブセットが設定され、ＣＳＩ‐ＲＳ‐Ｆｌａｇ＝１である場合、サブセットはＣＳＩ‐ＲＳ  ＡＰに関連付けられたＲＥを示すため、ＵＥ１０は、ＣＳＩ‐ＲＳ  ＡＰ数を１６に決定する。一方、ＣＳＩ‐ＲＳ‐Ｆｌａｇ＝０の場合、サブセットは未使用のＣＳＩ‐ＲＳを示すので、ＵＥ１０は、ＣＳＩ‐ＲＳ  ＡＰ数を２４個（４０から１６を減算）に決定する。
【００２９】
したがって、本発明の第１の態様の１つ又は複数の実施形態によれば、サブセット（ＮＰ、ＮＲ）は、複数のＡＰに対応付けられていないＲＥを示すことができる。
【００３０】
（第２の態様）
以下、本発明の第２の態様の実施形態について説明する。ＣＳＩ‐ＲＳ  ＡＰ（２０、２４、２８及び３２‐Ｔｘ  ＣＳＩ‐ＲＳ）を拡張することで、ＣＳＩ‐ＲＳ送信のオーバーヘッドが増加するおそれがある。一方、従来のＬＴＥ規格（例えば、ＬＴＥ  Ｒｅｌ．１３）におけるＣＳＩ‐ＲＳ密度は、ＡＰにつき１ＲＢあたり１ＣＳＩ‐ＲＳ  ＲＥ（１ＲＥ／ＲＢ／ポート）である。当該ＣＳＩ‐ＲＳ  ＲＥは、ＣＳＩ‐ＲＳに関連付けられたＲＥである。
【００３１】
本発明の第２の態様の１つ又は複数の実施形態よれば、ＣＳＩ‐ＲＳ密度は、１ＲＥ／ＲＢ／ポートから変更することができる。例えば、多数のＡＰを使用するＣＳＩ‐ＲＳ送信（例えば、２０、２４、２８及び３２‐Ｔｘ  ＣＳＩ‐ＲＳ）に対応するＬＴＥ  Ｒｅｌ．１４では、ＣＳＩ‐ＲＳ密度が低下する可能性がある。一方、例えば、ＣＳＩ‐ＲＳ密度を、ＣＳＩ‐ＲＳのチャネル推定精度、時間／周波数トラッキング、及びｑｕａｓｉ‐ｃｏｌｏｃａｔｉｏｎを向上させるために増加させることもできる。
【００３２】
本発明の第２の態様の１つ又は複数の実施形態よれば、すべてのＡＰにおいて１ＲＥ／ＲＢ／ポート未満となるように、ＣＳＩ‐ＲＳ密度を等しく低下させてもよい。例えば、２０、２４、２８及び３２‐Ｔｘ  ＣＳＩ‐ＲＳのＣＳＩ‐ＲＳ密度は、１ＲＥ／ＲＢ／ポートの半分（０．５ＲＥ／ＲＢ／ポート）であってもよい。例えば、ＣＳＩ‐ＲＳ密度が低下したＣＳＩ‐ＲＳでは、ＬＴＥ  Ｒｅｌ．１４用の２４‐Ｔｘ  ＣＳＩ‐ＲＳのＣＳＩ‐ＲＳ密度は、従来のＬＴＥ規格の１２‐Ｔｘ  ＣＳＩ‐ＲＳのＣＳＩ‐ＲＳ密度と同一であってもよい。
【００３３】
例えば、２０、２４、２８及び３２‐Ｔｘ  ＣＳＩ‐ＲＳのＣＳＩ‐ＲＳ密度が０．５ＲＥ／ＲＢ／ポートである場合、サブセット（ＮＰ、ＮＲ）として以下を設定することができる：
２０‐Ｔｘ  ＣＳＩ‐ＲＳのＣＳＩ‐ＲＳ構成の場合、（ＮＰ、ＮＲ）＝（２、５）；
２４‐Ｔｘ  ＣＳＩ‐ＲＳのＣＳＩ‐ＲＳ構成の場合、（ＮＰ、ＮＲ）＝（２、６）及び（４、３）；
２８‐Ｔｘ  ＣＳＩ‐ＲＳのＣＳＩ‐ＲＳ構成の場合、（ＮＰ、ＮＲ）＝（２、７）；及び
３２‐Ｔｘ  ＣＳＩ‐ＲＳのＣＳＩ‐ＲＳ構成の場合、（ＮＰ、ＮＲ）＝（２、８）、（４、４）及び（８、２）。
【００３４】
１２及び１６‐Ｔｘ  ＣＳＩ‐ＲＳのパターンを再利用して、２４及び３２‐Ｔｘ  ＣＳＩ‐ＲＳのＣＳＩ‐ＲＳ構成のサブセットをそれぞれ決定することが有利な場合がある。
【００３５】
簡略化のため、本発明の第２の態様の１つ又は複数の実施形態おいて、ＣＳＩ‐ＲＳ密度が低下した場合、２０、２４、２８及び３２‐Ｔｘ  ＣＳＩ‐ＲＳなどＬＴＥ  Ｒｅｌ．１４用のＣＳＩ‐ＲＳ構成のサブセット（ＮＰ、ＮＲ）は、図６に示すように、最大ＮＰで設定してもよい。
【００３６】
本発明の第２の態様の１つ又は複数の実施形態において、例えば、ＢＳ２０がＣＳＩ‐ＲＳ密度の低いＣＳＩ‐ＲＳを送信する場合、図７Ａ、図７Ｂ、図７Ｃ、図７Ｄ及び図７Ｅに示すように、周波数分割多重（ＦＤＭ）及び時分割多重（ＴＤＭ）のうち少なくとも１つをＣＳＩ‐ＲＳ送信に適用してもよい（例えば、再利用ファクタ２、密度パラメータ０．５など）。図７Ａは、ＦＤＭが適用されるＣＳＩ‐ＲＳ送信を示す。図７Ｂ及び７Ｃは、ＴＤＭが適用されるＣＳＩ‐ＲＳ送信を示す。図７Ｄは、ＴＤＭ及びＦＤＭが適用されるＣＳＩ‐ＲＳ送信を示す。例えば、ＦＤＭ再利用ファクタ及びＴＤＭ再利用ファクタを、無線リソース制御（ＲＲＣ）パラメータとして導入してもよい。図７Ｃにおいて、オフセットタイミングｋをＲＲＣパラメータとして導入してもよい。例えば、ｋ＝１、‐１などを予め仕様で規定してもよい。図７Ｅは、８‐Ｔｘ  ＣＳＩ‐ＲＳのＣＳＩ‐ＲＳ構成を示す図である。図７Ｅに示すように、ＣＳ‐ＲＳリソースはＦＤＭ（ｃｏｍｂ型構成）によって設定され、ＣＳＩ‐ＲＳ  ＲＥは周波数方向に配置され、ホッピングする。
【００３７】
したがって、本発明の第２の態様の１つ又は複数の実施形態よれば、ＢＳ２０は、２０個以上のＡＰ（例えば、２０、２４、２８又は３２個のＡＰ）を用いて、所定のＣＳＩ‐ＲＳ密度でＣＳＩ‐ＲＳをＵＥ１０に送信することができる。少なくとも１つのＡＰにおける所定のＣＳＩ‐ＲＳ密度は、各ＡＰが１ＲＢあたり１ＣＳＩ‐ＲＳ  ＲＥを用いるＣＳＩ‐ＲＳ密度でなくともよい。例えば、所定のＣＳＩ‐ＲＳ密度は、０．５ＣＳＩ‐ＲＳ  ＲＥ／ＰＢ／ＡＰのように、前記各ＡＰにつき１ＲＢあたり１ＣＳＩ‐ＲＳ  ＲＥ未満であってもよい。この結果、２０、２４、２８及び３２‐Ｔｘ  ＣＳＩ‐ＲＳなどのポート拡張によるＣＳＩ‐ＲＳ送信のオーバーヘッドの増加を抑えることができる。
【００３８】
（第３の態様）
以下、本発明の第３の態様の実施形態について説明する。本発明の第３の態様の１つ又は複数の実施形態によれば、一部のＡＰのＣＳＩ‐ＲＳ密度を低下又は増加させることができる。つまり、各ＡＰのＣＳＩ‐ＲＳ密度は互いに異ならせることができる。例えば、ＡＰの一部（ＬＴＥ  Ｒｅｌ．１３によってカバーされる）のＣＳＩ‐ＲＳ密度はより高密度（例えば、１ＲＥ／ＲＢ／ポート）で、ＡＰの他の部分におけるＣＳＩ‐ＲＳ密度はより低密度（例えば、０．５ＲＥ／ＲＢ／ポート）であってもよい。例えば、ＬＴＥ  Ｒｅｌ．１３において２０‐Ｔｘ  ＣＳＩ‐ＲＳがカバーする１６個のＡＰのＣＳＩ‐ＲＳ密度を１ＲＥ／ＲＢ／ポートとし、残りの４個のＡＰのＣＳＩ‐ＲＳ密度を０．５ＲＥ／ＲＢ／ポートとしてもよい。この場合、同一のチャネル推定アルゴリズムを最大１６個のＡＰに再利用することができる。後方互換性を考慮すると有益である。
【００３９】
本発明の第３の態様の１つ又は複数の実施形態によれば、例えば、２０、２４、２８及び３２‐Ｔｘ  ＣＳＩ‐ＲＳの一部のＡＰのＣＳＩ‐ＲＳ密度が１ＲＥ／ＲＢ／ポートであり、他のＡＰのＣＳＩ‐ＲＳ密度が０．５ＲＥ／ＲＢ／ポートである場合、以下のサブセット（ＮＰ、ＮＲ）を用いることができる：
２０‐Ｔｘ  ＣＳＩ‐ＲＳのＣＳＩ‐ＲＳ構成の場合、（ＮＰ、ＮＲ）＝（８、２）＋（２、１）；
２４‐Ｔｘ  ＣＳＩ‐ＲＳのＣＳＩ‐ＲＳ構成の場合、（ＮＰ、ＮＲ）＝（８、２）＋（４、１）；
２８‐Ｔｘ  ＣＳＩ‐ＲＳのＣＳＩ‐ＲＳ構成の場合、（ＮＰ、ＮＲ）＝（８、２）＋（２、３）；及び
３２‐Ｔｘ  ＣＳＩ‐ＲＳのＣＳＩ‐ＲＳ構成の場合、（ＮＰ、ＮＲ）＝（８、２）＋（４、２）。
【００４０】
上述の２０‐Ｔｘ  ＣＳＩ‐ＲＳのＣＳＩ‐ＲＳ構成用のサブセットの例では、サブセット（８、２）は、ＣＳＩ‐ＲＳ密度が１ＲＥ／ＲＢ／ポートであるＣＳＩ‐ＲＳ構成を示し、サブセット（２、１）は、ＣＳＩ‐ＲＳ密度が０．５ＲＥ／ＲＢ／ポートであるＣＳＩ‐ＲＳ構成を示す。すなわち、２０‐Ｔｘ  ＣＳＩ‐ＲＳのＣＳＩ‐ＲＳ構成の（ＮＰ、ＮＲ）が（８、２）＋（２、１）である場合、ＣＳＩ‐ＲＳ密度は、［（８×２）＋（２×１）］／２０（＝１８／２０）のＲＥ／ＲＢ／ポートである。同様に、２４‐Ｔｘ  ＣＳＩ‐ＲＳのＣＳＩ‐ＲＳ構成の（ＮＰ、ＮＲ）が（８、２）＋（４、１）である場合、ＣＳＩ‐ＲＳ密度は２０／２４ＲＥ／ＲＢ／ポートである。２８‐Ｔｘ  ＣＳＩ‐ＲＳのＣＳＩ‐ＲＳ構成で（ＮＰ、ＮＲ）が（８、２）＋（２、３）の場合、ＣＳＩ‐ＲＳ密度は２２／２８ＲＥ／ＲＢ／ポートである。３２‐Ｔｘ  ＣＳＩ‐ＲＳのＣＳＩ‐ＲＳ構成で（ＮＰ、ＮＲ）が（８、２）＋（４、２）の場合、ＣＳＩ‐ＲＳ密度は２４／３２ＲＥ／ＲＢ／ポートである。
【００４１】
他の例では、本発明の第３の態様の１つ又は複数の実施形態において、例えば、上述のＣＳＩ‐ＲＳ密度が１８／２０、２０／２４、２２／２８、２４／３２ＲＥ／ＲＢ／ポートである場合に、対応するサブセット（ＮＰ、ＮＲ）は以下の通りである：
１８‐Ｔｘ  ＣＳＩ‐ＲＳの場合、（ＮＰ、ＮＲ）＝（２、９）；
２０‐Ｔｘ  ＣＳＩ‐ＲＳの場合、（ＮＰ、ＮＲ）＝（２、１０）又は（４、５）；
２２‐Ｔｘ  ＣＳＩ‐ＲＳの場合、（ＮＰ、ＮＲ）＝（２、１１）；及び
２４‐Ｔｘ  ＣＳＩ‐ＲＳの場合、（ＮＰ、ＮＲ）＝（２、１２）又は（４、６）。
【００４２】
したがって、サブセット（ＮＰ、ＮＲ）は、複数のサブセットの組み合わせを用いる代わりに、単一のサブセットとして構成されてもよい。
【００４３】
本発明の第３の態様の他の例の１つ又は複数の実施形態として、例えば、２０‐Ｔｘ  ＣＳＩ‐ＲＳの１偏波を有する１０個のＡＰのＣＳＩ‐ＲＳ密度は、より高い密度（例えば、１ＲＥ／ＲＢ／ポート）であってもよく、他の偏波を有する残りの１０個のＡＰのＣＳＩ‐ＲＳ密度は、より低い密度であってもよい。例えば、２０、２４、２８及び３２‐Ｔｘ  ＣＳＩ‐ＲＳの半分のＣＳＩ‐ＲＳ密度が１ＲＥ／ＲＢ／ポートであり、残りの半分のＣＳＩ‐ＲＳ密度がより低い密度（例えば、０．５ＲＥ／ＲＢ／ポート）である場合、サブセット（ＮＰ、ＮＲ）は以下の通りである：
２０‐Ｔｘ  ＣＳＩ‐ＲＳのＣＳＩ‐ＲＳ構成の場合、（ＮＰ、ＮＲ）＝（２、５）＋（２、３）；
２４‐Ｔｘ  ＣＳＩ‐ＲＳのＣＳＩ‐ＲＳ構成の場合、（ＮＰ、ＮＲ）＝（４、３）＋（２、３）；
２８‐Ｔｘ  ＣＳＩ‐ＲＳのＣＳＩ‐ＲＳ構成の場合、（ＮＰ、ＮＲ）＝（２、７）＋（４、２）；及び
３２‐Ｔｘ  ＣＳＩ‐ＲＳのＣＳＩ‐ＲＳ構成の場合、（ＮＰ、ＮＲ）＝（８、２）＋（４、２）。
【００４４】
２０、２８‐Ｔｘ  ＣＳＩ‐ＲＳのＣＳＩ‐ＲＳ構成のサブセットの上述の例では、１つのＡＰ（例えば（２、３）及び（４、２）のサブセットの最後のＡＰ）を破棄することができる。さらに、上述のように、サブセット（ＮＰ、ＮＲ）は、複数のサブセットの組み合わせを用いる代わりに、単一のサブセットとして構成されてもよい。
【００４５】
更に、本発明の第３の態様の他の例の１つ又は複数の実施形態によれば、密度が異なるＡＰにそれぞれ異なるＣＳＩ‐ＲＳリソース情報を設定してもよい。例えば、ＬＴＥ  Ｒｅｌ．１２用のＣＳＩ‐ＲＳ構成のＣＳＩ‐ＲＳリソース情報はすべて別々に設定してもよい。ＣＳＩ‐ＲＳリソース情報は、例えば、送信タイミング（送信周期及びタイミングオフセット）、ＣＤＭ及びＲＥ位置を含む。
【００４６】
（第３の変形例）
ＣＳＩ‐ＲＳ密度を用いたＣＳＩ‐ＲＳ送信は、特に周波数選択性が高く、かつドップラー効果の高い場合に、ＵＥ１０におけるチャネル推定の精度に影響する可能性がある。一方、ＵＥ１０は、ＡＰ数をより少なく、かつＣＳＩ‐ＲＳ密度をより高くすることでＣＳＩ‐ＲＳ送信にフォールバックしてもよい。本発明の第３の変形例の１つ又は複数の実施形態によれば、ＣＳＩ‐ＲＳ  ＡＰは複数のサブフレームに設けてもよい（すなわち、複数のサブフレーム内のＲＥにＣＳＩ‐ＲＳ  ＡＰを関連付けてもよい）。例えば、図８Ａに示すように、２４個のＣＳＩ‐ＲＳ  ＡＰ（２４‐Ｔｘ  ＣＳＩ‐ＲＳ）に関連するＲＥは、２つのサブフレーム内にあってもよい。ＬＴＥ  Ｒｅｌ．１２は、最大８個のＣＳＩ‐ＲＳ  ＡＰに対応する。したがって、従来の（ＬＴＥ  Ｒｅｌ．１２）ＵＥ（又はフォールバックのＵＥ）は、各サブフレームにおいて８‐Ｔｘ  ＣＳＩ‐ＲＳに対応付けられた８個のＲＥを使用することができる。図８Ａにおいて、アンテナポート番号｛１５、１６、１７、１８、２７、２８、２９、３０｝は８‐Ｔｘ交差偏波アンテナ（ＣＰＡ）を表し、アンテナポート番号｛２３、２４、２５、２６、３５、３６、３７、３８｝は他の８‐Ｔｘ  ＣＰＡを表す。この結果、ＢＳ２０が２４‐Ｔｘ  ＣＳＩ‐ＲＳを用いてＣＳＩ‐ＲＳを送信しても、従来（ＬＴＥ  Ｒｅｌ．１２）は、アンテナポート番号｛１５、１６、１７、１８、２７、２８、２９、３０｝のＲＥを１番目のサブフレームにおいて再利用し、アンテナポート番号｛２３、２４、２５、２６、３５、３６、３７、３８｝のＲＥを２番目のサブフレームにおいて再利用することができる。
【００４７】
図８Ｂに示すように、アンテナポート番号｛１５、１６、１７、１８、２７、２８、２９、３０｝、｛１９、２０、２１、２２、３１、３２、３３、３４｝及び｛２３、２４、２５、２６、３５、３６、３７、３８｝はそれぞれ異なる８‐Ｔｘ  ＣＰＡを示す。従来（ＬＴＥ  Ｒｅｌ．１２）は、ＢＳ２０が２４‐Ｔｘ  ＣＳＩ‐ＲＳを用いてＣＳＩ‐ＲＳを送信する場合であっても、アンテナポート番号｛１５、１６、１７、１８、２７、２８、２９、３０｝及び｛１９、２０、２１、２２、３１、３２、３３、３４｝のＲＥを１番目のサブフレームにおいて再利用し、アンテナポート番号｛２３、２４、２５、２６、３５、３６、３７、３８｝のＲＥを２番目のサブフレームにおいて再利用することができる。
【００４８】
図８Ｃに示すように、アンテナポート番号｛１５、１６、１７、１８、１９、２０、２７、２８、２９、３０、３１、３２｝及び｛２１、２２、２３、２４、２５、２６、３３、３４、３５、３６、３７、３８｝は、それぞれ異なる８‐Ｔｘ  ＣＰＡを表す。ＬＴＥ  Ｒｅｌ．１２及び１３はそれぞれ最大８個及び１６個のＣＳＩ‐ＲＳ  ＡＰに対応する。従来（ＬＴＥ  Ｒｅｌ．１２／１３）は、ＢＳ２０が２４‐Ｔｘ  ＣＳＩ‐ＲＳを用いてＣＳＩ‐ＲＳを送信する場合であっても、１番目のサブフレームにおいてアンテナポート番号｛１５、１６、１７、１８、１９、２０、２７、２８、２９、３０、３１、３２｝でＲＥを再利用することができ、２番目のサブフレームにおいてアンテナポート番号｛２１、２２、２３、２４、２５、２６、３３、３４、３５、３６、３７、３８｝のＲＥを再利用することができる。
【００４９】
本発明の第３の態様の他の例の１つ又は複数の実施形態によれば、従来のＬＴＥ規格（例えば、ＬＴＥ  Ｒｅｌ．１２／１３）との後方互換性を考慮に入れて、ＢＳ２０が複数のサブフレームにわたってＣＳＩ‐ＲＳを送信する場合、複数のＣＳＩ‐ＲＳ  ＡＰに関連付けられたＲＥを同一サブフレーム内に配置することができる。
【００５０】
（第４の態様）
以下、本発明の第４の態様の実施形態について説明する。本発明の第４の態様の１つ又は複数の実施形態によれば、ＢＳ２０は、一部のＡＰからＣＳＩ‐ＲＳを送信しなくてもよい。
【００５１】
例えば、ＢＳ２０は、複数のＡＰのうち所定の偏波を有するＡＰのみからＣＳＩ‐ＲＳを送信し、所定の偏波とは異なる偏波を有するＡＰからはＣＳＩ‐ＲＳを送信しない。図９Ａは、ＣＳＩ‐ＲＳ  ＡＰ（２４‐Ｔｘ  ＣＳＩ‐ＲＳ）の構成を示す。図９Ａにおいて、アンテナポート番号｛１５、…、２６｝のＡＰは所定の偏波を有し、アンテナポート番号｛２７、…、３８｝のＡＰは、所定の偏波とは異なる偏波を有する。したがって、本発明の第４の態様の１つ又は複数の実施形態によれば、ＢＳ２０は、アンテナポート番号｛１５、…、２６｝のＡＰからＣＳＩ‐ＲＳを送信し、アンテナポート番号｛２７、…、３８｝のＡＰからはＣＳＩ‐ＲＳを送信してなくてもよい。更に、所定の偏波は、例えば、｛２７、…、３８｝のＡＰの偏波であってもよい。また、例えば、ＢＳ２０は、所定の偏波を有するＡＰのうち一部のＡＰからＣＳＩ‐ＲＳを送信してもよい。
【００５２】
本発明の第４の態様の他の例の１つ又は複数の実施形態によれば、ＢＳ２０は、アンテナポート番号が偶数（又は奇数）のＡＰからのみＣＳＩ‐ＲＳを送信してもよい。例えば、２４‐Ｔｘ  ＣＳＩ‐ＲＳの例では、ＢＳ２０は、アンテナポート番号が偶数｛１６、１８、…、３８｝であるＡＰからＣＳＩ‐ＲＳを送信し、アンテナポート番号が奇数である｛１５、１７、…、３７｝のＡＰからはＣＳＩ‐ＲＳを送信しなくてもよい（或いはこの反対でもよい）。
【００５３】
本発明の第４の態様の他の例の１つ又は複数の実施形態によれば、図９Ｂに示すように、ＢＳ２０は、ＡＰの位置、偏波などに基づいてサンプリングされた一部のＡＰを用いて、ＣＳＩ‐ＲＳを送信することができる。例えば、ＢＳ２０は、ＡＰ位置及び偏波などのＡＰの特徴に基づいて選択されたＡＰからＣＳＩ‐ＲＳを送信し、選択外のＡＰからはＣＳＩ‐ＲＳを送信しなくてもよい。
【００５４】
上述のように、ＬＴＥ規格では、サブフレーム毎にＣＳＩ‐ＲＳ  ＡＰに関連付けるＲＥの最大数が４０ＲＥに規定されている。したがって、２０‐Ｔｘ  ＣＳＩ‐ＲＳのＣＳＩ‐ＲＳ構成では、１ＲＥ／ＲＢ／ポートで再利用ファクタ２を使用することができ、２４、２８及び３２‐Ｔｘ  ＣＳＩ‐ＲＳのＣＳＩ‐ＲＳ構成では、１ＲＥ／ＲＢ／ポートで再利用ファクタ２を使用することができない。したがって、ＣＳＩ‐ＲＳオーバーヘッドを低減する方法を、２４、２８及び３２‐Ｔｘ  ＣＳＩ‐ＲＳに適用することができる。
【００５５】
（第５の態様）
以下、本発明の第５の態様の実施形態について説明する。ＣＳＩ‐ＲＳ密度とチャネル推定の精度との間には相関がある。本発明の第５の態様の１つ又は複数の実施形態によれば、ＣＳＩ‐ＲＳ密度は、展開シナリオ（ｄｅｐｌｏｙｍｅｎｔ  ｓｃｅｎａｒｉｏ）、トラフィックなどに応じて調整してもよい。２種類以上のタイプのＣＳＩ‐ＲＳ密度を、ＢＳ２０及びＵＥ１０において規定して使用してもよい。例えば、ＣＳＩ‐ＲＳ密度のうち１つを１ＲＥ／ＲＢ／ポートの高ＣＳＩ‐ＲＳ密度にし、他を１ＲＥ／ＲＢ／ポートよりも低い低ＣＳＩ‐ＲＳ密度にすることができる。例えば、ＢＳ２０は、ＲＲＣシグナリングなどの上位レイヤシグナリングによってＣＳＩ‐ＲＳ密度に関する情報を送信してもよい。
【００５６】
本発明の第５の態様の１つ又は複数の実施形態によれば、ＢＳ２０は、例えば、ＣＳＩ‐ＲＳ密度が低いＣＳＩ‐ＲＳと、ＣＳＩ‐ＲＳ密度が高い（例えば、ＣＳＩ‐ＲＳ密度が当該低ＣＳＩ‐ＲＳ密度と異なる）他のＣＳＩ‐ＲＳとをサブフレームやシンボルに基づいて動的に切り替えることによって、当該低ＣＳＩ‐ＲＳ密度及び高ＣＳＩ‐ＲＳ密度のＣＳＩ‐ＲＳを送信することができる。図１０Ａに示すように、ＢＳ２０は、ＣＳＩ‐ＲＳ密度の高いＣＳＩ‐ＲＳを送信し、続いて、所定のサブフレーム（例えば、５ｍｓ）後に、ＣＳＩ‐ＲＳ密度の低いＣＳＩ‐ＲＳを送信することができる。
【００５７】
本発明の第５の態様の１つ又は複数の実施形態によれば、ＵＥ１０に、高ＣＳＩ‐ＲＳ密度及び低ＣＳＩ‐ＲＳ密度に対応したＣＳＩ‐ＲＳの送信周期を設定してもよい。更に、高ＣＳＩ‐ＲＳ密度のＣＳＩ‐ＲＳの送信周期を複数の低密度ＣＳＩ‐ＲＳで構成してもよいし、この反対でもよい。
【００５８】
本発明の第５の態様の他の例の１つ又は複数の実施形態によれば、例えば、ＵＥ１０に、低ＣＳＩ‐ＲＳ密度のＣＳＩ‐ＲＳ及び高ＣＳＩ‐ＲＳ密度のＣＳＩ‐ＲＳにそれぞれ対応するＣＳＩ‐ＲＳ構成（例えば、ＲＥ位置、周期及びタイミングオフセットなどを含む、ＬＴＥ  Ｒｅｌ．１２／１３のＣＳＩ‐ＲＳ構成）が設定されてもよい。
【００５９】
本発明の第５の態様の他の例の１つ又は複数の実施形態によれば、ＢＳ２０は、ＣＳＩ‐ＲＳ送信用のＣＳＩ‐ＲＳ  ＡＰ数を動的に切り替えることができる。例えば、図１０Ｂに示すように、ＢＳ２０は、全てのＡＰからＣＳＩ‐ＲＳを送信して、続いて一部のＡＰからＣＳＩ‐ＲＳを送信してもよい。
【００６０】
本発明の第５の態様の他の例の１つ又は複数の実施形態によれば、図１０Ｃに示すように、２つ以上の異なるＣＳＩ‐ＲＳ送信パターンを切り替えることができる。例えば、異なるパターンとは、ＡＰが異なることや、ＣＳＩ‐ＲＳ密度が（AＰ毎に）異なることであってもよい。
【００６１】
本発明の第５の態様の他の例の１つ以上の実施形態では、図１０Ｄに示すように、ＣＳＩ‐ＲＳ密度の高いセット１及びＣＳＩ‐ＲＳ密度の低いセット２を含むＣＳＩ‐ＲＳと、ＣＳＩ‐ＲＳ密度の高いセット２及びＣＳＩ‐ＲＳ密度の低いセット１を含むＣＳＩ‐ＲＳと、を切り替えることができる。
【００６２】
本発明の第５の態様の他の例の１つ又は複数の実施形態によれば、ＢＳ２０は、非周期的ＣＳＩ‐ＲＳトリガリングのためにＣＳＩ‐ＲＳ多重を動的に切り替えることができる。当該トリガリングは、ＣＳＩ‐ＲＳ密度、ＡＰ、偏波、ＣＳＩ‐ＲＳセットなどに基づいてシグナリングすることができる。当該シグナリングは、上位レイヤシグナリング又は下位レイヤシグナリングのいずれか又は両方を設定によってできる。
【００６３】
上述の例では時間領域におけるスイッチング技術を示したが、周波数領域又は符号領域（すなわちＣＤＭ）での利用も可能である。例えば、ＲＢ毎にＣＳＩ‐ＲＳの送信パターンを切り替えることができる。ＴＤＭとＦＤＭとを組み合わせるなど、複合的な適用も可能である。
【００６４】
（第６の態様）
以下、本発明の第６の態様の実施形態について説明する。再利用が可能な既存のＡＰは、３０番目のインデックス（１５‐３０）までである。追加のポートには下式のようにインデックスを付すことができる。
【００６５】
Ａｌｔ．１：
【数１】
2019514272.tif 000003
【００６６】
ここで、ｉはリソースのインデックスであり、ｐ’はＣＳＩ‐ＲＳ構成内のアンテナポート番号であり、ＮＰは、ＣＳＩ‐ＲＳ構成毎のＣＳＩ‐ＲＳアンテナポート数であり、ＮＲはＣＳＩ‐ＲＳ構成数である。
【００６７】
Ａｌｔ．２：
【数２】
2019514272.tif 000004
【００６８】
Ａｌｔ．３：ＣＤＭ‐２及び１ＲＥ／ｐｏｒｔ／ＲＢに対して、Ａｌｔ．１が使用される。他の場合には、Ａｌｔ．２が使用される。
【００６９】
ＬＴＥ  Ｒｅｌ．１４のＣＳＩ‐ＲＳ構成が（ＲＲＣシグナリングの設計に起因して）ＬＴＥ  Ｒｅｌ．１３のＣＳＩ‐ＲＳ構成からなる場合、以下の態様を適用することができる。
【００７０】
Ａｌｔ．１：ｐ’がＬＴＥ  Ｒｅｌ．１３のナンバリングに倣うと仮定して上の式を適用する。
【００７１】
例：ＬＴＥ  Ｒｅｌ．１４の２４個のＡＰ＝ＬＴＥ  Ｒｅｌ．１２の１２個のＡＰ×２。この結果、ＮＰ＝１２及びＮＲ＝２となる。
【００７２】
Ａｌｔ．２：最初に、ＬＴＥ  Ｒｅｌ．１２のＣＳＩ‐ＲＳ構成を統合することによってＬＴＥ  Ｒｅｌ．１４のＣＳＩ‐ＲＳ構成を示し、続いて、ｐ’がＬＴＥ  Ｒｅｌ．１２のナンバリングに倣うと仮定して上の式を適用する。
【００７３】
例１：ＬＴＥ  Ｒｅｌ．１４の２４個のＡＰ＝ＬＴＥ  Ｒｅｌ．１３の１２個のＡＰ×２＝ＬＴＥ  Ｒｅｌ．１１の４個のＡＰ×６。この結果、ＮＰ＝４及びＮＲ＝６となる。
【００７４】
例２：ＬＴＥ  Ｒｅｌ．１４の２４個のＡＰ＝ＬＴＥ  Ｒｅｌ．１３の１２個のＡＰ×２＝ＬＴＥ  Ｒｅｌ．１１の８個のＡＰ×３。この結果、ＮＰ＝８及びＮＲ＝３となる。
【００７５】
（基地局の構成）
以下、図１１を参照して、本発明の１つ又は複数の実施形態に係るＢＳ２０について説明する。
【００７６】
図１１に示すように、ＢＳ２０は、ＦＤ−ＭＩＭＯ用アンテナ２１と、ＲＦ（Radio Frequency）回路２２と、ＣＳＩ‐ＲＳスケジューラ２３と、ＣＳ‐ＲＳジェネレータ２４と、プリコーダ２５と、マルチプレクサ２６とを備える。ＲＦ回路２２は、トランスミッタ（ＴＸＲＵ）２２１とレシーバ２２２とを含む。
【００７７】
アンテナ２１は、複数のアンテナ素子を有する多次元アンテナから構成されてもよく、２Ｄアンテナ（平面アンテナ）、円柱状に配置されたアンテナや立方体状に配置されたアンテナを含む３Ｄアンテナなどが含まれる。アンテナ２１は、１つ以上のアンテナ素子を有するアンテナポートを含む。各アンテナポートから送信されたビームは、ＵＥ１０とＭＩＭＯ通信を行うように制御される。
【００７８】
アンテナ２１によって、線形アレイアンテナを用いる場合と比較してアンテナの素子数を容易に増加させることができる。多数のアンテナ素子を利用するＭＩＭＯ伝送においては、システム性能をさらに改善することが求められる。例えば、ビームフォーミングでは、アンテナ数の増加に応じて高いビームフォーミング利得も期待される。更に、ＭＩＭＯ伝送は、例えばビームのヌル点を制御するなど干渉低減の面においても有利であり、マルチユーザＭＩＭＯにおいてユーザ間の干渉を除去するなどの効果が期待できる。
【００７９】
ＲＦ回路２２は、アンテナ２１への入力信号を生成し、アンテナ２１からの出力信号の受信処理を行う。
【００８０】
ＲＦ回路２２のトランスミッタ２２１は、アンテナ２１を介してＵＥ１０にデータ信号（例えば、参照信号や、プリコーディングされたデータ信号）を送信する。トランスミッタ２２１は、決定したＣＳＩ‐ＲＳ構成（例えば、サブフレーム構成ＩＤ及びマッピング情報）の状態を示すＣＳＩ‐ＲＳリソース情報を、上位レイヤシグナリング又は下位レイヤシグナリングを介してＵＥ２０に送信する。トランスミッタ２２１は、決定したＣＳＩ‐ＲＳ構成に割り当てられたＣＳＩ‐ＲＳをＵＥ１０に送信する。
【００８１】
ＲＦ回路２２に含まれるレシーバ２２２は、ＵＥ１０からアンテナ２１を介してデータ信号（例えば、参照信号及びＣＳＩフィードバック情報）を受信する。
【００８２】
ＣＳＩ‐ＲＳスケジューラ２３は、ＣＳＩ‐ＲＳに割り当てるＣＳＩ‐ＲＳ構成を決定する。例えば、ＣＳＩ‐ＲＳスケジューラ２３は、サブフレームの中から、ＣＳＩ‐ＲＳを含むＣＳＩ‐ＲＳサブフレームを判別する。更に、ＣＳＩ‐ＲＳスケジューラ２３は、少なくともＣＳＩ‐ＲＳにマッピングされたＲＥを決定する。
【００８３】
ＣＳＩ‐ＲＳジェネレータ２４は、下りチャネル状態を推定するためのＣＳＩ‐ＲＳを生成する。ＣＳＩ‐ＲＳジェネレータ２４は、ＣＳＩ‐ＲＳに加えて、ＬＴＥ規格で規定される参照信号、個別参照信号（ＤＲＳ）、セル固有参照信号（ＣＲＳ）、プライマリ同期信号（ＰＳＳ）及びセカンダリ同期信号（ＳＳＳ）などの同期信号、並びに別途規定された参照信号を生成してもよい。
【００８４】
プリコーダ２５は、下りデータ信号及び下り参照信号に適用するプリコーダを決定する。プリコーダは、プリコーディングベクトル、又はより一般的にはプリコーディング行列と呼ばれる。プリコーダ２５は、推定された下りリンクのチャネル状態を示すＣＳＩと、入力された復号ＣＳＩフィードバック情報とに基づいて、下りリンクのプリコーディングベクトル（プリコーディング行列）を決定する。
【００８５】
マルチプレクサ２６は、ＣＳＩ‐ＲＳスケジューラ２３によって決定されたＣＳＩ‐ＲＳ構成に基づいて、ＣＳＩ‐ＲＳをＲＥに多重する。
【００８６】
送信される参照信号は、セル固有の参照信号又はＵＥ固有の参照信号であってよい。例えば、参照信号は、ＰＤＳＣＨなどのＵＥ固有信号に多重してもよく、参照信号はプリコーディングしてもよい。参照信号の送信ランクをＵＥ１０に通知することで、チャネル状態推定をチャネル状態に応じた適切なランクで実現することができる。
【００８７】
（ユーザ装置の構成）
以下、図１２を参照して、本発明の１つ又は複数の実施形態に係るＵＥ１０について説明する。
【００８８】
図１２に示すように、ＵＥ１０は、ＢＳ２０と通信を行うためのＵＥアンテナ１１と、ＲＦ回路１２と、デマルチプレクサ１３と、チャネル推定器１４と、ＣＳＩフィードバックコントローラ１５と、ＣＳＩ‐ＲＳコントローラ１６とを備えてよい。ＲＦ回路１２は、トランスミッタ１２１とレシーバ１２２を含む。
【００８９】
ＲＦ回路１２に含まれるトランスミッタ１２１は、ＵＥアンテナ１１を介してＢＳ２０にデータ信号（例えば、ＣＳＩフィードバック情報）を送信する。
【００９０】
ＲＦ回路１２のレシーバ１２２は、ＢＳ２０からＵＥアンテナ１１を介してデータ信号（例えば、ＣＳＩ‐ＲＳなどの参照信号）を受信する。
【００９１】
デマルチプレクサ１３は、ＢＳ２０から受信した信号からＰＤＣＣＨ信号を分離する。
【００９２】
チャネル推定器１４は、ＢＳ２０から送信されたＣＳＩ‐ＲＳに基づいて下りチャネル状態を推定し、ＣＳＩフィードバックコントローラ１５へ出力する。
【００９３】
ＣＳＩフィードバックコントローラ１５は、下りチャネル状態推定用の参照信号を用いて推定した下りチャネル状態に基づいてＣＳＩフィードバック情報を生成する。ＣＳＩフィードバックコントローラ１５は、生成したＣＳＩフィードバック情報をトランスミッタ１２１に出力し、トランスミッタ１２１は、当該ＣＳＩフィードバック情報をＢＳ２０に送信する。ＣＳＩフィードバック情報は、ＲＩ（ランクインジケータ）、ＰＭＩ、ＣＱＩ、ＢＩなどのうち少なくとも１つを含んでよい。
【００９４】
ＢＳ２０からＵＥに固有のＣＳＩ‐ＲＳが送信された場合、ＣＳＩ‐ＲＳコントローラ１６は、特定のユーザ装置がユーザ装置そのものであるか否かをＣＳＩ‐ＲＳリソース情報に基づいて判断する。ＣＳＩ‐ＲＳコントローラ１６は、自装置が特定のユーザ装置であると判断した場合、ＣＳＩ‐ＲＳに基づいてＣＳＩフィードバックをＢＳ２０に送信する。
【００９５】
（他の態様）
本開示においては下り送信の例を中心に説明したが、本発明はこれに限定されるものではない。本発明の１つ又は複数の実施形態は、上り送信にも適用することができる。
【００９６】
本開示においてはＬＴＥ／ＬＴＥ‐Ａに基づくチャネル及びシグナリング方式の例を中心に説明したが、本発明はこれに限定されるものではない。本発明の１つ又は複数の実施形態は、ＬＴＥ／ＬＴＥ‐Ａと同一の機能を有する他のチャネル及びシグナリング方式や、別途規定されたチャネル及びシグナリング方式などにも適用することができる。
【００９７】
上記の態様及び変更例は互いに組み合わせてもよく、これらの態様の各種特徴は様々なパターンで組み合わせることが可能である。本発明は、本明細書に開示される特定の組み合わせに限定されない。
【００９８】
本発明の１つ又は複数の実施形態では、ＢＳ２０が平面アンテナを備える例を説明するが、本発明はこれに限定されない。本発明において、ＢＳ２０は、１次元アンテナ又は所定の３次元アンテナを備えてもよい。
【００９９】
本発明の１つ又は複数の実施形態では、従来のＬＴＥ規格に従って、サブフレーム毎に４０個のＲＥがＣＳＩ‐ＲＳ  ＡＰに関連付けられる例を説明したが、本発明はこれに限定されない。本発明では、ＣＳＩ‐ＲＳ  ＡＰに関連付けるＲＥは４０個以上であってもよいし、４０個のＲＥのうち一部であってもよい。
【０１００】
本開示は、２０、２４、２８及び３２‐Ｔｘ  ＣＳＩ‐ＲＳの例を中心に説明したが、本発明はこれに限定されない。本発明の１つ又は複数の実施形態は、所定数のＣＳＩ‐ＲＳ  ＡＰにも適用することができる。
【０１０１】
本開示は、１ＲＥ／ＲＢ／ポートの高ＣＳＩ‐ＲＳ密度の例と、０．５ＲＥ／ＲＢ／ポートの低ＣＳＩ‐ＲＳ密度の例とを中心に説明したが、本発明はこれらの数値に限定されない。
【０１０２】
本開示においては一定数の実施形態のみが説明されたが、本開示の利益を享受する当業者であれば、本発明の範囲から逸脱することなく様々な他の実施形態が可能であることを理解することができる。したがって、本発明の範囲は、添付の特許請求の範囲によってのみ限定されるものである。
【符号の説明】
【０１０３】
１  無線通信システム
１０  ユーザ装置（ＵＥ）
１１  ＵＥアンテナ
１２  ＲＦ回路
１２１  トランスミッタ
１２２  レシーバ
１３  デマルチプレクサ
１４  チャネル推定器
１５  ＣＳＩフィードバックコントローラ
１６  ＣＳＩ‐ＲＳコントローラ
２０  基地局（ＢＳ）
２１  アンテナ
２２  ＲＦ回路
２２１  トランスミッタ
２２２  レシーバ
２３  ＣＳＩ‐ＲＳスケジューラ
２４  ＣＳＩ‐ＲＳジェネレータ
２５  プリコーダ
２６  マルチプレクサ
【図１】
2019514272.tif 000005
【図２】
2019514272.tif 000006
【図３】
2019514272.tif 000007
【図４】
2019514272.tif 000008
【図５】
2019514272.tif 000009
【図６】
2019514272.tif 000010
【図７Ａ】
2019514272.tif 000011
【図７Ｂ】
2019514272.tif 000012
【図７Ｃ】
2019514272.tif 000013
【図７Ｄ】
2019514272.tif 000014
【図７Ｅ】
2019514272.tif 000015
【図８Ａ】
2019514272.tif 000016
【図８Ｂ】
2019514272.tif 000017
【図８Ｃ】
2019514272.tif 000018
【図９Ａ】
2019514272.tif 000019
【図９Ｂ】
2019514272.tif 000020
【図１０Ａ】
2019514272.tif 000021
【図１０Ｂ】
2019514272.tif 000022
【図１０Ｃ】
2019514272.tif 000023
【図１０Ｄ】
2019514272.tif 000024
【図１１】
2019514272.tif 000025
【図１２】
2019514272.tif 000026
【国際調査報告】
2019514272.tif 000027
2019514272.tif 000028
2019514272.tif 000029
2019514272.tif 000030
2019514272.tif 000031